(57)【特許請求の範囲】
【請求項１】
コンテンツおよびコンテンツの番組表に関する情報を配信するコンテンツ配信サーバーと、
前記コンテンツ配信サーバーから配信されたコンテンツを蓄積し、表示装置にコンテンツを再生するコンテンツ録画装置と、
コンテンツに関するメタ情報を集め、蓄積し、前記コンテンツ録画装置にメタ情報を配信するメタ情報配信サーバーと、
操作部と表示部を有し、番組表画面及び番組詳細情報画面を表示し、番組を予約するための無線端末と、
を備えたコンテンツ録画支援システムであって、
前記コンテンツ録画装置は、
前記コンテンツ配信サーバーで付加され番組ごとのユニークＩＤである識別ＩＤに対して、番組ＩＤ若しくは番組名、放送局ＩＤ、放送時間情報、前回の視聴率・予約数情報を記憶した番組情報と、
識別ＩＤに対して、関連情報リンク先を記憶したメタ情報と、
番組ＩＤ若しくは番組名に対して、出演者及び／又は番組内容を記憶した番組表と、
識別ＩＤに対して、番組ＩＤ若しくは番組名、放送局ＩＤ、放送時間情報、前回の視聴率・予約数情報、出演者及び／又は番組内容を記憶した提供番組情報と、
を記憶したメモリ部を有し、
前記無線端末が、番組情報を要求し、
前記コンテンツ録画装置は、メモリ部を参照し、各放送時間及び各放送局について、識別ＩＤに対応して、番組ＩＤ若しくは番組名、放送局ＩＤ、放送時間情報、前回の視聴率・予約数情報、出演者及び／又は番組内容を含む提供番組情報を、作成し、メモリに記憶し、前記無線端末に送信し、
前記無線端末は、提供番組情報のうち、少なくとも番組ＩＤ若しくは番組名、放送局ＩＤ、放送時間情報、前回の視聴率・予約数情報を含む番組表画面を、作成し、表示部に表示し、
前記無線端末は、操作部により選択された番組の識別ＩＤをメタ情報要求に含めて、前記コンテンツ録画装置に送信し、
前記コンテンツ録画装置は、メモリ部を参照し、識別ＩＤに該当するメタ情報を抽出し、前記無線端末へ送信し、
前記無線端末は、受信した提供番組情報の少なくとも放送時間情報及び放送局ＩＤ、及び、出演者及び／又は番組内容と、受信したメタ情報の少なくとも関連情報リンク先とを含む番組詳細情報画面を作成し、表示部に表示し、
前記無線端末は、操作部により番組詳細情報画面の関連情報リンク先が選択されると、対応する関連情報リンク先に接続して、関連情報リンクの情報を表示部に表示し、
前記無線端末は、操作部により予約が選択されると、提供番組情報を参照して得た、識別ＩＤ、番組ＩＤ若しくは番組名、放送局ＩＤ、放送時間情報を含み、予約することを表す予約状況及び予約無線端末ＩＤをセットした予約情報を作成し、前記コンテンツ録画装置に送信し、
前記コンテンツ録画装置は、メモリを参照し、受信した予約情報に従い、予約情報を参照して、識別ＩＤ、番組ＩＤ若しくは番組名、放送局ＩＤ、放送時間情報、予約状況、予約無線端末ＩＤと、コンテンツ録画装置ＩＤとを含む録画機器予約情報を作成し、前記メタ情報配信サーバーに送信し、
前記メタ情報配信サーバーは、録画機器予約情報を受信すると、同一番組を予約している人が予約している別の番組で、前記コンテンツ録画装置ではまだ録画されていないひとつ又は複数の推奨番組を決定し、番組情報を参照して、該ひとつ又は複数の推奨番組について、識別ＩＤ、番組ＩＤ若しくは番組名、放送局ＩＤ、放送時間情報と、推奨番組を選択している人の数に従う推奨度合いを示す推奨度を含む予約推奨番組情報を作成し、前記コンテンツ録画装置に送信し、
前記コンテンツ録画装置は、受信した予約推奨番組情報を前記無線端末に送信し、
前記無線端末は、受信した予約推奨番組情報を含む推奨番組を含む一覧画面を作成し、表示部に表示する
コンテンツ録画支援システム。
【請求項２】
前記メタ情報配信サーバーは、番組情報を、
識別ＩＤに、前記コンテンツ配信サーバーで付加された番組ごとのユニークＩＤをセットし、
番組ＩＤ若しくは番組名、放送局ＩＤ、放送時間情報に、前記コンテンツ配信サーバーから受信した番組の情報からセットし、
前回の視聴率・予約数情報に、視聴率測定サービス会社又は他の装置から提供された情報、及び、前回の放送を予約した録画装置の数をそれぞれセットすることにより作成し、
及び、
前記メタ情報配信サーバーは、メタ情報を、
識別ＩＤに、番組情報に含まれる識別ＩＤと同じ値をセットし、
関連情報リンク先に、その情報に関連したＵＲＬをセットすることにより作成する
ことを特徴とする請求項１に記載のコンテンツ録画支援システム。
【請求項３】
前記メタ情報配信サーバーは、予め登録された前記コンテンツ録画装置に対し、周期的にコンテンツに関する番組情報と、該番組情報に対するひとつ又は複数のメタ情報を配信し、
前記コンテンツ録画装置は、受信した番組情報とメタ情報をメモリに記憶する
ことを特徴とする請求項１又は２に記載のコンテンツ録画支援システム。
【請求項４】
番組情報及び提供番組情報は、前回の再生数及び／又は予約数ランキング情報をさらに含み、
前記無線端末は、番組表画面で、各放送局の放送時間ごとの番組名、その番組の予約数、前回の視聴率・予約数・前回の再生数及び／又は予約数ランキングで予約数の多い番組を表示することを特徴とする請求項１乃至３のいずれかに記載のコンテンツ録画支援システム。
【請求項５】
前記無線端末は、予約する番組が選択されると、コメント入力ページを表示し、
操作者により入力されたコメントを、識別ＩＤとともに、予め宛先として設定されたＳＮＳ又は番組サイトに送信し、
前記メタ情報配信サーバーは、ＳＮＳ又は番組サイトから前記コメントを識別ＩＤとともに取得し、識別ＩＤに該当するメタ情報に前記コメントをさらに含めて前記コンテンツ録画装置に送信し、
前記無線端末は、番組詳細情報画面に、前記コメントをさらに表示する
ことを特徴とする請求項１乃至４のいずれかに記載のコンテンツ録画支援システム。
【請求項６】
前記メタ情報配信サーバーは、前記推奨番組を、協調フィルタリングによる方法、又は、複数のユーザーが共通に選択している番組を選ぶ方法により、決定することを特徴とする請求項１乃至５のいずれかに記載のコンテンツ録画支援システム。
【請求項７】
さらに、無線端末ＩＤに対して、さらに性別及び／又は年齢を含む属性情報を付加することにより、共通に選択している番組に加え、推奨番組を選択する条件に属性情報を含むことを特徴とする請求項６に記載のコンテンツ録画支援システム。
【請求項８】
前記無線端末は、推奨番組画面からいずれかの番組が選択されると、選択された番組のメタ情報を前記コンテンツ録画装置から取得し、番組詳細情報画面を表示することを特徴とする請求項１乃至７のいずれかに記載のコンテンツ録画支援システム。
【請求項９】
コンテンツおよびコンテンツの番組表に関する情報を配信するコンテンツ配信サーバーと、
前記コンテンツ配信サーバーから配信されたコンテンツを蓄積し、表示装置にコンテンツを再生するコンテンツ録画装置と、
コンテンツに関するメタ情報を集め、蓄積し、前記コンテンツ録画装置にメタ情報を配信するメタ情報配信サーバーと、
操作部と表示部を有し、番組表画面及び番組詳細情報画面を表示し、番組を予約するための無線端末と、
を備えたコンテンツ録画支援システムを用いたコンテンツ録画支援方法であって、
前記コンテンツ録画装置は、
前記コンテンツ配信サーバーで付加され番組ごとのユニークＩＤである識別ＩＤに対して、番組ＩＤ若しくは番組名、放送局ＩＤ、放送時間情報、前回の視聴率・予約数情報を記憶した番組情報と、
識別ＩＤに対して、関連情報リンク先を記憶したメタ情報と、
番組ＩＤ若しくは番組名に対して、出演者及び／又は番組内容を記憶した番組表と、
識別ＩＤに対して、番組ＩＤ若しくは番組名、放送局ＩＤ、放送時間情報、前回の視聴率・予約数情報、出演者及び／又は番組内容を記憶した提供番組情報と、
を記憶したメモリ部を有し、
前記無線端末が、番組情報を要求し、
前記コンテンツ録画装置は、メモリ部を参照し、各放送時間及び各放送局について、識別ＩＤに対応して、番組ＩＤ若しくは番組名、放送局ＩＤ、放送時間情報、前回の視聴率・予約数情報、出演者及び／又は番組内容を含む提供番組情報を、作成し、メモリに記憶し、前記無線端末に送信し、
前記無線端末は、提供番組情報のうち、少なくとも番組ＩＤ若しくは番組名、放送局ＩＤ、放送時間情報、前回の視聴率・予約数情報を含む番組表画面を、作成し、表示部に表示し、
前記無線端末は、操作部により選択された番組の識別ＩＤをメタ情報要求に含めて、前記コンテンツ録画装置に送信し、
前記コンテンツ録画装置は、メモリ部を参照し、識別ＩＤに該当するメタ情報を抽出し、前記無線端末へ送信し、
前記無線端末は、受信した提供番組情報の少なくとも放送時間情報及び放送局ＩＤ、及び、出演者及び／又は番組内容と、受信したメタ情報の少なくとも関連情報リンク先とを含む番組詳細情報画面を作成し、表示部に表示し、
前記無線端末は、操作部により番組詳細情報画面の関連情報リンク先が選択されると、対応する関連情報リンク先に接続して、関連情報リンクの情報を表示部に表示し、
前記無線端末は、操作部により予約が選択されると、提供番組情報を参照して得た、識別ＩＤ、番組ＩＤ若しくは番組名、放送局ＩＤ、放送時間情報を含み、予約することを表す予約状況及び予約無線端末ＩＤをセットした予約情報を作成し、前記コンテンツ録画装置に送信し、
前記コンテンツ録画装置は、メモリを参照し、受信した予約情報に従い、予約情報を参照して、識別ＩＤ、番組ＩＤ若しくは番組名、放送局ＩＤ、放送時間情報、予約状況、予約無線端末ＩＤと、コンテンツ録画装置ＩＤとを含む録画機器予約情報を作成し、前記メタ情報配信サーバーに送信し、
前記メタ情報配信サーバーは、録画機器予約情報を受信すると、同一番組を予約している人が予約している別の番組で、前記コンテンツ録画装置ではまだ録画されていないひとつ又は複数の推奨番組を決定し、番組情報を参照して、該ひとつ又は複数の推奨番組について、識別ＩＤ、番組ＩＤ若しくは番組名、放送局ＩＤ、放送時間情報と、推奨番組を選択している人の数に従う推奨度合いを示す推奨度を含む予約推奨番組情報を作成し、前記コンテンツ録画装置に送信し、
前記コンテンツ録画装置は、受信した予約推奨番組情報を前記無線端末に送信し、
前記無線端末は、受信した予約推奨番組情報を含む推奨番組を含む一覧画面を作成し、表示部に表示する
コンテンツ録画支援方法。
【請求項１０】
コンテンツおよびコンテンツの番組表に関する情報を配信するコンテンツ配信サーバーと、
前記コンテンツ配信サーバーから配信されたコンテンツを蓄積し、表示装置にコンテンツを再生するコンテンツ録画装置と、
コンテンツに関するメタ情報を集め、蓄積し、前記コンテンツ録画装置にメタ情報を配信するメタ情報配信サーバーと、
操作部と表示部を有し、番組表画面及び番組詳細情報画面を表示し、番組を予約するための無線端末と、
を備えたコンテンツ録画支援システムにおける前記コンテンツ録画装置であって、
前記コンテンツ配信サーバーで付加され番組ごとのユニークＩＤである識別ＩＤに対して、番組ＩＤ若しくは番組名、放送局ＩＤ、放送時間情報、前回の視聴率・予約数情報を記憶した番組情報と、
識別ＩＤに対して、関連情報リンク先を記憶したメタ情報と、
番組ＩＤ若しくは番組名に対して、出演者及び／又は番組内容を記憶した番組表と、
識別ＩＤに対して、番組ＩＤ若しくは番組名、放送局ＩＤ、放送時間情報、前回の視聴率・予約数情報、出演者及び／又は番組内容を記憶した提供番組情報と、
を記憶したメモリ部を有し、
前記無線端末から、番組情報が要求されると、
前記コンテンツ録画装置は、メモリ部を参照し、各放送時間及び各放送局について、識別ＩＤに対応して、番組ＩＤ若しくは番組名、放送局ＩＤ、放送時間情報、前回の視聴率・予約数情報、出演者及び／又は番組内容を含む提供番組情報を、作成し、メモリに記憶し、前記無線端末に送信し、
前記無線端末が、提供番組情報のうち、少なくとも番組ＩＤ若しくは番組名、放送局ＩＤ、放送時間情報、前回の視聴率・予約数情報を含む番組表画面を、作成し、表示部に表示し、
前記無線端末が、操作部により選択された番組の識別ＩＤをメタ情報要求に含めて、前記コンテンツ録画装置に送信すると、
前記コンテンツ録画装置は、メモリ部を参照し、識別ＩＤに該当するメタ情報を抽出し、前記無線端末へ送信し、
前記無線端末が、受信した提供番組情報の少なくとも放送時間情報及び放送局ＩＤ、及び、出演者及び／又は番組内容と、受信したメタ情報の少なくとも関連情報リンク先とを含む番組詳細情報画面を作成し、表示部に表示し、
前記無線端末が、操作部により番組詳細情報画面の関連情報リンク先が選択されると、対応する関連情報リンク先に接続して、関連情報リンクの情報を表示部に表示し、
前記無線端末が、操作部により予約が選択されると、提供番組情報を参照して得た、識別ＩＤ、番組ＩＤ若しくは番組名、放送局ＩＤ、放送時間情報を含み、予約することを表す予約状況及び予約無線端末ＩＤをセットした予約情報を作成し、前記コンテンツ録画装置に送信すると、
前記コンテンツ録画装置は、メモリを参照し、受信した予約情報に従い、予約情報を参照して、識別ＩＤ、番組ＩＤ若しくは番組名、放送局ＩＤ、放送時間情報、予約状況、予約無線端末ＩＤと、コンテンツ録画装置ＩＤとを含む録画機器予約情報を作成し、前記メタ情報配信サーバーに送信し、
前記メタ情報配信サーバーが、録画機器予約情報を受信すると、同一番組を予約している人が予約している別の番組で、前記コンテンツ録画装置ではまだ録画されていないひとつ又は複数の推奨番組を決定し、番組情報を参照して、該ひとつ又は複数の推奨番組について、識別ＩＤ、番組ＩＤ若しくは番組名、放送局ＩＤ、放送時間情報と、推奨番組を選択している人の数に従う推奨度合いを示す推奨度を含む予約推奨番組情報を作成し、前記コンテンツ録画装置に送信すると、
前記コンテンツ録画装置は、受信した予約推奨番組情報を前記無線端末に送信し、
前記無線端末に、受信した予約推奨番組情報を含む推奨番組を含む一覧画面を作成させ、表示部に表示させる
前記コンテンツ録画装置。
【発明の詳細な説明】
【技術分野】
【０００１】
本発明は、コンテンツ録画支援システム及び方法、コンテンツ録画装置に係る。
【背景技術】
【０００２】
テレビとインターネットを結び付ける「スマートテレビ」に対する取り組みが、世界的にかつてない盛り上がりを見せている。このキーデバイスになるのが、スマートフォンやタブレット端末といった携帯端末であり、テレビと携帯端末を直接またはインターネットを介して連動させることにより、テレビ画面を「メインスクリーン」として、携帯端末を「サブスクリーン」とした「マルチスクリーン化」による新しいサービスを創出する動きが盛んになっている。
【０００３】
日本においては、地デジ化後のテレビ販売台数大幅減少を見越して、新たな購買意欲の発掘の為に「スマートテレビ」への対応を進めているのが現状である。また、ハードディスク内蔵レコーダ（ＤＶＤレコーダ、Ｂｌｕ−ｒａｙレコーダ等）やハードディスク内蔵テレビのハードディスク容量の増加やＵＳＢ外付けハードディスクへの対応により録画容量の増大が進んでいる。これらに蓄積された放送コンテンツは、家庭内のネットワークにより、携帯端末で視聴したり、インターネット上の情報と連動させたりするサービスも提案されている。
【０００４】
放送コンテンツをインターネットの膨大な情報と関連付けるには、その放送コンテンツのキーワードを取得する必要がある。このキーワードとして、「放送メタデータ」と呼ばれるものがある。「放送メタデータ」には、放送局や放送サイト等が放送前に作成したデータ（前メタ）と、特定企業や個人等が独自に作成したデータ（後メタ）がある。後者は、例えば、キュレーション（ｃｕｒａｔｉｏｎ：人の手による情報整理）により集められるデータであり、国内では数社から提供されている。後メタデータは、放送後も残り、時間が経つにつれ情報が増えている特徴のあるものである。
【０００５】
一方、昨今の録画機器では、ＤＬＮＡ（Ｄｉｇｉｔａｌ  Ｌｉｖｉｎｇ  Ｎｅｔｗｏｒｋ  Ａｌｌｉａｎｃｅ：家庭内でＡＶ機器やＰＣを相互接続し、コンテンツを共有するためのガイドライン）に対応した機器が発展し、録画リストを取得することは容易となっている。また、操作履歴を蓄積している録画機器も多く存在する。後から情報を検索する点で、放送後の後メタデータと録画機器とは相性が良く、後メタデータを取得するにはネットワークに接続することが必要となるので、録画機器の情報を取得することも容易となる。
【０００６】
従来技術として、コンテンツの視聴を支援するシステムには、同じ属性情報をもったユーザーの視聴履歴や機器操作情報を利用して、多数の保存されたコンテンツの内どの番組を視聴するかを支援するシステムが提案されている（特許文献１）。
【先行技術文献】
【特許文献】
【０００７】
【特許文献１】特開２００５−０３３６００号公報
【発明の概要】
【発明が解決しようとする課題】
【０００８】
近年ハードディスクの大容量化などにより、家庭の録画機器では多くのコンテンツを録画することが可能となっているが、反面録画コンテンツが膨大になり折角録画したコンテンツの多くが死蔵されてしまう場合がありうる。これらの課題を解決するために特許文献１のように、同じ属性情報をもったユーザー等の視聴履歴や操作情報を利用して、視聴すべきコンテンツを推奨してくれるシステムが提案されている。しかし、本方式ではあくまでも視聴行為を行う人がいることでその情報が作成されるため、録画された時点から再生支援に至るまでの期間が長期にわたることが懸念される。また、家庭に設置された録画機器は複数の家族が使用するため、個々の嗜好が異なり、最適な支援を行うことが難しい場合がある。
【０００９】
本発明は、以上の点に鑑み、視聴者がより簡単に録画コンテンツを選択することが出来、視聴するコンテンツの選択にも労力がかからないコンテンツ録画支援システム及び方法、コンテンツ録画装置を提供することを、ひとつの目的とする。
【００１０】
また、本発明は、録画予約時点でどのコンテンツを録画すべきかを推奨することで、効率的にコンテンツを録画することが出来、ある程度絞られた録画コンテンツから視聴するコンテンツを選択することが出来るコンテンツ録画支援システム及び方法、コンテンツ録画装置を提供することを、他の目的とする。また、本発明は、各種のユーザー等の属性情報（個人ＩＤ、名前、性別、年令、メールアドレス、電話番号、住所、好み等）に依存しないでコンテンツを推奨するため、複数の人が使用する録画機器においても録画支援を可能とすることを、他の目的とする。
【課題を解決するための手段】
【００１１】
本発明の第１の解決手段によると、
コンテンツおよびコンテンツの番組表に関する情報を配信するコンテンツ配信サーバーと、
コンテンツ配信サーバーから配信されたコンテンツを蓄積し、表示装置にコンテンツを再生するコンテンツ録画装置と、
コンテンツに関するメタ情報を集め、蓄積し、コンテンツ録画装置にメタ情報を配信するメタ情報配信サーバーと、
操作部と表示部を有し、番組表画面及び番組詳細情報を表示し、番組を予約するための無線端末と、
を備えたコンテンツ録画支援システムであって、
前記コンテンツ録画装置は、
コンテンツ配信サーバーで付加され番組ごとのユニークＩＤである識別ＩＤに対して、番組ＩＤ若しくは番組名、放送局ＩＤ、放送時間情報、前回の視聴率・予約数情報を記憶した番組情報と、
識別ＩＤに対して、番組関連の情報、関連情報リンク先を記憶したメタ情報と、
番組ＩＤ若しくは番組名に対して、出演者及び／又は番組内容を記憶した番組表と、
前記番組情報の一部又は全部、前記番組表、予約状況、予約無線端末ＩＤを記憶した提供番組情報と、
を記憶したメモリ部を有し、
無線端末が、番組情報を要求し、
コンテンツ録画装置は、メモリ部を参照し、各放送時間及び各放送局について、識別ＩＤに対応して、番組情報の一部又は全部、番組表を含む提供番組情報を、作成し、メモリに記憶し、前記無線端末に送信し、
無線端末は、提供番組情報を含む番組表画面を、作成し、表示部に表示し、
無線端末は、操作部により選択された番組の識別ＩＤをメタ情報要求に含めて、コンテンツ録画装置に送信し、
コンテンツ録画装置は、メモリ部を参照し、識別ＩＤに該当するメタ情報を抽出し、無線端末へ送信し、
無線端末は、受信した提供番組情報の少なくとも放送時間情報及び放送局及び番組表と、受信したメタ情報の少なくとも関連情報リンク先とを含む番組詳細情報画面を作成し、表示部に表示し、
無線端末は、操作部により番組詳細情報画面の関連情報リンク先が選択されると、対応する関連情報リンク先に接続して、関連情報リンクの情報を表示部に表示し、
無線端末は、操作部により予約が選択されると、提供番組情報を参照して、識別ＩＤ、番組ＩＤ若しくは番組名、放送局ＩＤ、放送時間情報と、予約することを表す予約状況、予約無線端末ＩＤとを含む予約情報を作成し、コンテンツ録画装置に送信し、
コンテンツ録画装置は、メモリを参照し、受信した予約情報に従い、予約情報の識別ＩＤに該当する提供番組情報の予約状況及び予約無線端末ＩＤを記憶し、提供番組情報又は予約情報を参照して、識別ＩＤ、番組ＩＤ若しくは番組名、放送局ＩＤ、放送時間情報、予約状況、予約無線端末ＩＤと、コンテンツ録画装置ＩＤとを含む録画機器予約情報を作成し、メタ情報配信サーバーに送信し、
メタ情報配信サーバーは、録画機器予約情報を受信すると、同一番組を予約している人が予約している別の番組で、そのコンテンツ録画装置ではまだ録画されていないひとつ又は複数の推奨番組を決定し、番組情報を参照して、該ひとつ又は複数の推奨番組について、識別ＩＤ、番組ＩＤ若しくは番組名、放送局ＩＤ、放送時間情報と、推奨番組を選択している人の数に従う推奨度合いを示す推奨度を含む予約推奨番組情報を作成し、コンテンツ録画装置に送信し、
コンテンツ録画装置は、受信した予約推奨番組情報を無線端末に送信し、
無線端末は、受信した予約推奨番組情報を含む推奨番組を含む一覧画面を作成し、表示部に表示する
コンテンツ録画支援システムが提供される。
【００１２】
本発明の第２の解決手段によると、
コンテンツおよびコンテンツの番組表に関する情報を配信するコンテンツ配信サーバーと、
コンテンツ配信サーバーから配信されたコンテンツを蓄積し、表示装置にコンテンツを再生するコンテンツ録画装置と、
コンテンツに関するメタ情報を集め、蓄積し、コンテンツ録画装置にメタ情報を配信するメタ情報配信サーバーと、
操作部と表示部を有し、番組表画面及び番組詳細情報を表示し、番組を予約するための無線端末と、
を備えたコンテンツ録画支援システムを用いたコンテンツ録画支援方法であって、
前記コンテンツ録画装置は、
コンテンツ配信サーバーで付加され番組ごとのユニークＩＤである識別ＩＤに対して、番組ＩＤ若しくは番組名、放送局ＩＤ、放送時間情報、前回の視聴率・予約数情報を記憶した番組情報と、
識別ＩＤに対して、番組関連の情報、関連情報リンク先を記憶したメタ情報と、
番組ＩＤ若しくは番組名に対して、出演者及び／又は番組内容を記憶した番組表と、
前記番組情報の一部又は全部、前記番組表、予約状況、予約無線端末ＩＤを記憶した提供番組情報と、
を記憶したメモリ部を有し、
無線端末が、番組情報を要求し、
コンテンツ録画装置は、メモリ部を参照し、各放送時間及び各放送局について、識別ＩＤに対応して、番組情報の一部又は全部、番組表を含む提供番組情報を、作成し、メモリに記憶し、前記無線端末に送信し、
無線端末は、提供番組情報を含む番組表画面を、作成し、表示部に表示し、
無線端末は、操作部により選択された番組の識別ＩＤをメタ情報要求に含めて、コンテンツ録画装置に送信し、
コンテンツ録画装置は、メモリ部を参照し、識別ＩＤに該当するメタ情報を抽出し、無線端末へ送信し、
無線端末は、受信した提供番組情報の少なくとも放送時間情報及び放送局及び番組表と、受信したメタ情報の少なくとも関連情報リンク先とを含む番組詳細情報画面を作成し、表示部に表示し、
無線端末は、操作部により番組詳細情報画面の関連情報リンク先が選択されると、対応する関連情報リンク先に接続して、関連情報リンクの情報を表示部に表示し、
無線端末は、操作部により予約が選択されると、提供番組情報を参照して、識別ＩＤ、番組ＩＤ若しくは番組名、放送局ＩＤ、放送時間情報と、予約することを表す予約状況、予約無線端末ＩＤとを含む予約情報を作成し、コンテンツ録画装置に送信し、
コンテンツ録画装置は、メモリを参照し、受信した予約情報に従い、予約情報の識別ＩＤに該当する提供番組情報の予約状況及び予約無線端末ＩＤを記憶し、提供番組情報又は予約情報を参照して、識別ＩＤ、番組ＩＤ若しくは番組名、放送局ＩＤ、放送時間情報、予約状況、予約無線端末ＩＤと、コンテンツ録画装置ＩＤとを含む録画機器予約情報を作成し、メタ情報配信サーバーに送信し、
メタ情報配信サーバーは、録画機器予約情報を受信すると、同一番組を予約している人が予約している別の番組で、そのコンテンツ録画装置ではまだ録画されていないひとつ又は複数の推奨番組を決定し、番組情報を参照して、該ひとつ又は複数の推奨番組について、識別ＩＤ、番組ＩＤ若しくは番組名、放送局ＩＤ、放送時間情報と、推奨番組を選択している人の数に従う推奨度合いを示す推奨度を含む予約推奨番組情報を作成し、コンテンツ録画装置に送信し、
コンテンツ録画装置は、受信した予約推奨番組情報を無線端末に送信し、
無線端末は、受信した予約推奨番組情報を含む推奨番組を含む一覧画面を作成し、表示部に表示する
コンテンツ録画支援方法が提供される。
【００１３】
本発明の第３の解決手段によると、
コンテンツおよびコンテンツの番組表に関する情報を配信するコンテンツ配信サーバーと、
コンテンツ配信サーバーから配信されたコンテンツを蓄積し、表示装置にコンテンツを再生するコンテンツ録画装置と、
コンテンツに関するメタ情報を集め、蓄積し、コンテンツ録画装置にメタ情報を配信するメタ情報配信サーバーと、
操作部と表示部を有し、番組表画面及び番組詳細情報を表示し、番組を予約するための無線端末と、
を備えたコンテンツ録画支援システムにおける前記コンテンツ録画装置であって、
コンテンツ配信サーバーで付加され番組ごとのユニークＩＤである識別ＩＤに対して、番組ＩＤ若しくは番組名、放送局ＩＤ、放送時間情報、前回の視聴率・予約数情報を記憶した番組情報と、
識別ＩＤに対して、番組関連の情報、関連情報リンク先を記憶したメタ情報と、
番組ＩＤ若しくは番組名に対して、出演者及び／又は番組内容を記憶した番組表と、
前記番組情報の一部又は全部、前記番組表、予約状況、予約無線端末ＩＤを記憶した提供番組情報と、
を記憶したメモリ部を有し、
無線端末から、番組情報が要求されると、
コンテンツ録画装置は、メモリ部を参照し、各放送時間及び各放送局について、識別ＩＤに対応して、番組情報の一部又は全部、番組表を含む提供番組情報を、作成し、メモリに記憶し、前記無線端末に送信し、
無線端末が、提供番組情報を含む番組表画面を、作成し、表示部に表示し、
無線端末が、操作部により選択された番組の識別ＩＤをメタ情報要求に含めて、コンテンツ録画装置に送信すると、
コンテンツ録画装置は、メモリ部を参照し、識別ＩＤに該当するメタ情報を抽出し、無線端末へ送信し、
無線端末が、受信した提供番組情報の少なくとも放送時間情報及び放送局及び番組表と、受信したメタ情報の少なくとも関連情報リンク先とを含む番組詳細情報画面を作成し、表示部に表示し、
無線端末が、操作部により番組詳細情報画面の関連情報リンク先が選択されると、対応する関連情報リンク先に接続して、関連情報リンクの情報を表示部に表示し、
無線端末が、操作部により予約が選択されると、提供番組情報を参照して、識別ＩＤ、番組ＩＤ若しくは番組名、放送局ＩＤ、放送時間情報と、予約することを表す予約状況、予約無線端末ＩＤとを含む予約情報を作成し、コンテンツ録画装置に送信すると、
コンテンツ録画装置は、メモリを参照し、受信した予約情報に従い、予約情報の識別ＩＤに該当する提供番組情報の予約状況及び予約無線端末ＩＤを記憶し、提供番組情報又は予約情報を参照して、識別ＩＤ、番組ＩＤ若しくは番組名、放送局ＩＤ、放送時間情報、予約状況、予約無線端末ＩＤと、コンテンツ録画装置ＩＤとを含む録画機器予約情報を作成し、メタ情報配信サーバーに送信し、
メタ情報配信サーバーが、録画機器予約情報を受信すると、同一番組を予約している人が予約している別の番組で、そのコンテンツ録画装置ではまだ録画されていないひとつ又は複数の推奨番組を決定し、番組情報を参照して、該ひとつ又は複数の推奨番組について、識別ＩＤ、番組ＩＤ若しくは番組名、放送局ＩＤ、放送時間情報と、推奨番組を選択している人の数に従う推奨度合いを示す推奨度を含む予約推奨番組情報を作成し、コンテンツ録画装置に送信すると、
コンテンツ録画装置は、受信した予約推奨番組情報を無線端末に送信し、
無線端末に、受信した予約推奨番組情報を含む推奨番組を含む一覧画面を作成させ、表示部に表示させる
コンテンツ録画装置が提供される。
【発明の効果】
【００１４】
本発明によると、視聴者がより簡単に録画コンテンツを選択することが出来、視聴するコンテンツの選択にも労力がかからないコンテンツ録画支援システム及び方法、コンテンツ録画装置を提供することができる。
【００１５】
また、本発明によると、録画予約時点でどのコンテンツを録画すべきかを推奨することで、効率的にコンテンツを録画することが出来、ある程度絞られた録画コンテンツから視聴するコンテンツを選択することが出来る。また、本発明によると、各種のユーザ等の属性情報に依存しないでコンテンツを推奨するため、複数の人が使用する録画機器においても録画支援を可能とすることができる。
【図面の簡単な説明】
【００１６】
【図１】コンテンツ録画支援システムの構成図。
【図２】コンテンツ録画支援処理についてのフローチャート。
【図３】番組メタ情報８のフォーマット。
【図４】番組情報８１０のフォーマット。
【図５】メタ情報８２０のフォーマット。
【図６】番組情報８１０’（提供番組情報）のフォーマット。
【図７】番組表画面の表示例を示す図。
【図８】番組詳細情報画面の表示例を示す図。
【図９】コメント入力ページの表示例を示す図。
【図１０】予約情報９１０のフォーマット。
【図１１】録画機器予約情報９２０のフォーマット。
【図１２】推奨番組の決定についての説明図。
【図１３】予約推奨番組情報１０１０のフォーマット。
【図１４】推奨番組の一覧表示の一例を示す図。
【図１５】番組表のフォーマット。
【発明を実施するための形態】
【００１７】
１．テンツ録画支援システム
［システム構成］
図１に、コンテンツ録画支援システムの構成図を示す。
コンテンツ録画支援システムは、コンテンツ録画装置１、表示装置２、無線端末３、コンテンツ配信サーバー４、メタ情報配信サーバー５、ネットワーク６、ＳＮＳや番組サイト７を備える。
ネットワーク６は、光回線などのブロードバンド回線やインターネットなどの適宜の有線ネットワーク、又は、放送局からの無線電波を伝達する空間、放送網や無線回線などの適宜の無線ネットワーク、又は、有線ネットワークと無線ネットワークの両方を含む適宜のネットワーク等により構成される。
コンテンツ配信サーバー４は、ネットワーク６に接続され、コンテンツおよびコンテンツの情報（内容や放送予定時刻等）を配信する。コンテンツ配信サーバー４は、一般的なテレビ、ラジオ放送等を行う放送局や、ケーブルテレビ、インターネット等による放送等番組、コンテンツ等を放送、配信する各種の装置を含む。
【００１８】
メタ情報配信サーバー５は、コンテンツに関するメタ情報を集め、蓄積する。メタ情報配信サーバー５は、ネットワーク６により、コンテンツ録画装置１にメタ情報を配信する。また、メタ情報配信サーバー５は、コンテンツ録画装置１から録画情報や録画コンテンツの再生記録を受信し、装置ごとに分類して蓄積されている。
ＳＮＳ（Ｓｏｃｉａｌ  Ｎｅｔｗｏｒｋ  Ｓｅｒｖｉｃｅ）や番組サイト７は、個人やコンテンツ配信会社等のユーザーが、インターネット等のネットワークを介し、ＰＣや携帯端末等の無線端末３から参照出来るようにしているネットワークサービスで、コンテンツに対する詳細な情報や個人の感想などが記されている。
【００１９】
コンテンツ録画装置１は、コントローラー１１、メモリ部１２、ネットワーク通信部１３、表示制御部１４、無線通信部１５、操作部１６を備える。
コンテンツ録画装置１は、ネットワーク６に接続され、コンテンツやメタ情報等の各種情報を受信し、それらを内部に蓄積出来る。コンテンツ録画装置１は、ユーザーの操作により、表示装置２にコンテンツやメタ情報等の各種情報を表示することが出来る。また、コンテンツ録画装置１は、無線端末との通信インターフェースを持っている。
【００２０】
無線端末３は、コントローラー３１、メモリ部３２、ネットワーク通信部３３、表示部３４、無線通信部３５、操作部３６を備える。
無線端末３としては、例えば、スマートフォンやタブレット端末、携帯電話等を用いることができる。無線端末３は、コンテンツ録画装置１と無線通信回線で接続され、メタ情報等の情報を受信したり、操作内容等の情報を送信することが出来る。また、無線端末３は、ネットワーク６を介して、ＳＮＳや番組サイト７を参照することが出来る。
【００２１】
メタ情報配信サーバー５上には、「番組後メタデータ（放送内容、放送時間ごとに細分されたあらすじ、出演者、お店情報など関連キーワードなど）」、「ＣＭデータ（番組中に放送されているＣＭの詳細情報）」、「ネット上の関連情報（放送局の関連コンテンツ、ＳＮＳやブログなどの個人が発信した情報など）」に加え、「リアルタイム視聴率データ」「録画率」「再生率」等が、メタ情報として蓄積されている。
メタ情報配信サーバー５と家庭内にあるＡＶ機器、接続されたコンテンツ録画装置１とは、ネットワーク（インターネット等）６を介して接続され、家庭内から「録画リスト」「録画番組再生情報」が随時送信され、メタ情報配信サーバー５からは「録画／再生対象番組に関わるメタデータ」と「その番組のリアルタイム視聴率」「録画率」「再生率」のデータが送信される。メタデータや再生率は放送終了後、刻々と変化（追加）されるデータであるため、周期的に家庭へデータを送信し、ユーザーは最新情報を常に確認可能なシステムとしている。
また、家庭内のコンテンツ録画装置１と、スマートフォンやタブレット端末等の無線端末３とはネットワークで接続されており、メタデータのやり取りを可能とする。モバイル端末は、外出先等で直接インターネットへの接続も可能とする。
【００２２】
［配信サーバーでのメタ情報の作成について］
メタ情報には、上述のように放送前の前メタデータと放送後の後メタデータを含むことができる。
メタ情報とは、例えば、コンテンツの番組名、内容、出演者、放送時刻などの番組全体についての情報、番組内でのコーナーやシーンの名称や内容とそれらの放送時刻などの番組の構成に関する情報、各コーナーやシーンで紹介された店や商品の名称やＵＲＬなどの番組内容に関する付加情報、番組に関して個人や企業が作成したホームページの名称とＵＲＬや、番組全体または各コーナー／シーンに対して個人が投稿したコメントとそのＵＲＬなどを指す。
コンテンツ録画装置１は、メタ情報を、コンテンツ配信サーバー４やＳＮＳや番組サイト７からネットワーク６を介して自動または手動にて受信し、コンテンツ配信サーバー４から送信される番組情報ごとに分類し、蓄積する。
【００２３】
［コンテンツを蓄積する手順］
コンテンツ録画装置１は、コンテンツ配信サーバー４からネットワーク６を通じて配信された番組をネットワーク通信部１３を介して、メモリ部１２に蓄積することが出来る。メモリ部１２は、ＳＤメモリなどの不揮発メモリ、ハードディスク装置、ＤＶＤなどがあり、装置に内蔵されたメモリ、または、ＵＳＢやＬＡＮインターフェースを介して外付けメモリとして構成される。
【００２４】
［蓄積されたコンテンツを再生する手順］
コンテンツ録画装置１は、コントローラー１１の制御にて、表示制御部１４を介し、操作メニューを表示装置２に表示することが出来る。表示装置２はモニターのように録画装置からの映像信号や音声信号を受信して表示するものや、録画装置１に内蔵された液晶やＬＥＤの操作画面などがある。ユーザーが操作部１６により操作メニューから、メモリ部１２に蓄積されたコンテンツを選択し、再生操作をすると、表示装置２にコンテンツが表示される。
【００２５】
［コンテンツを予約するための番組情報の配信手順］
コンテンツ配信サーバー４は、今後配信される番組の情報をネットワーク４に配信する。この番組の情報には、デジタル放送のＳＩ（Ｓｅｒｖｉｃｅ  Ｉｎｆｏｒｍａｔｉｏｎ）情報のようなものが使われる。コンテンツ録画装置１は、この番組情報を取得し、メモリ部１２に蓄積することが出来る。
【００２６】
２．  コンテンツ録画支援処理
［コンテンツの予約手順］
図２に、コンテンツ録画支援処理についてのフローチャートを示す。このフローチャートは、特に、コンテンツ予約時の処理を含む。
（１）メタ情報の送信手順
メタ情報配信サーバー５には、これから放送される番組について、放送局やテレビガイドのサイトのＵＲＬやＳＮＳやコミュニケーションサービスに投稿されているコメント情報がインターネットから所得したメタ情報として保存されている。また、コンテンツ録画装置１から送られてきた録画／再生情報や録画操作をしたユーザーが入力されたコメントが、コンテンツ録画装置ＩＤおよび操作端末ＩＤ等と関連付けられて、録画装置から取得したメタ情報として保存されている。また、メタ情報は、放送局から送出されるＳＩ情報と関連付けられている。
メタ情報配信サーバー５は、予め登録されたコンテンツ録画装置１に対し、周期的にコンテンツに関する番組メタ情報８を配信する（Ｓ１０１）。この番組メタ情報８は時間が経つにつれ増加していったり、番組の放送スケジュールが変わることによりＳＩ情報との関連付けも変わっていったりするがあるため、送信データは現在録画装置が保存しているメタ情報の差分情報を送信するようにしてもよい。
【００２７】
図３に、番組メタ情報８のフォーマットを示す。番組メタ情報８は、番組に関する情報８１０と各番組に関するメタ情報８２０を含み、１つの番組に対して１つの番組情報８１０と、１つの番組に対して０〜複数個の番組に関するメタ情報８２０が存在する。
【００２８】
図４に、番組情報８１０のフォーマットを示す。メタ情報配信サーバー５は、次のように番組情報８１０の各データをセットする。識別ＩＤ８１０１は、コンテンツ配信サーバー４で付加された番組ごとのユニークＩＤである。番組ＩＤ（番組名）８１０２、放送局ＩＤ８１０２、放送開始時刻８１０４、放送時間８１０５は、コンテンツ配信サーバー４からメタ情報配信サーバー５が受信した番組情報の一部を使用する。予約数８１０６は、コンテンツ録画装置１からメタ情報配信サーバー５が受信した録画リストを元に集計したものである。前回視聴率８１０７は、毎日や週１回など定期的に放送される連続ドラマなどの前回の放送時点に見ていた視聴率であり、視聴率測定サービス会社などからメタ情報配信サーバー５に提供される。前回予約数８１０８、前回再生数８１０９は、コンテンツ録画装置１からメタ情報配信サーバー５が受信した各装置の録画リストと再生記録を集計した、前回の放送を予約した録画装置の数と再生した装置の数である。なお、番組情報８１０に、予約数ランキング情報を含むようにしてもよい。
【００２９】
図５に、メタ情報８２０のフォーマットを示す。メタ情報配信サーバー５は、次のようにメタ情報８２０の各データをセットする。識別ＩＤ８２０１は、個々のメタ情報がどの番組に対するものかを関連付けるＩＤで、番組情報８１０に含まれる識別ＩＤ８１０１と同じ値がセットされる。情報種別８２０２は、メタ情報がどのような情報かを示すフラグとして数字などで表される。情報種別には、番組コーナー、出演者、番組紹介ホームページ、番組評価ホームページなどがある。テキスト情報８２０３は、メタ情報の内容をテキストで表したものである。テキスト情報には、番組コーナーの名称、出演者の名称、ホームページの説明などがある。放送時刻に関連している情報などは時刻が書かれている場合もある。関連情報リンク先８２０４は、その情報に関連したＵＲＬなどがセットされている。リンク先には、番組紹介ホームページのＵＲＬ、出演者のブログのＵＲＬ、視聴者の番組評価ＳＮＳのＵＲＬなどがある。
【００３０】
コンテンツ録画装置１は、受信した番組メタ情報８をメモリ部１２に配信する。記憶するフォーマットは、図３〜図５と同様である。また、コンテンツ録画装置１は、コンテンツ配信サーバー４から番組表を受信し、メモリ部１２に記憶している。
図１５に、番組表のフォーマットを示す。番組表は、識別ＩＤ８１０１’’に対し番組ＩＤ（番組名）８１０２’’、ジャンル８１０８’’、出演者８１０９’’、番組内容８１１０’’等の情報を記憶している。
【００３１】
（２）詳細情報を確認する特定番組の選択手順
つぎに、図２に戻り、操作者は無線端末３を使い、録画番組を選択する。この手順を以下に示す。
無線端末３が番組情報を要求する（Ｓ１０２）と、各放送時間および各放送局について、コンテンツ録画装置１は、メモリ部１２に記憶された番組情報８１０と番組表を参照して、識別ＩＤ８１０１’に対応する番組情報８１０’（提供番組情報）を作成する。そして、コンテンツ録画装置１は番組情報８１０’をメモリ部１２に記憶し、無線端末３に送信する（Ｓ１０３）。なお、コンテンツ録画装置１は番組情報８１０’を予め作成しておき、無線端末３からの要求に応じて、それを送信するようにしてもよい。
【００３２】
図６に、番組情報８１０’（提供番組情報）のフォーマットを示す。番組情報８１０’は、コンテンツ配信サーバー４から送信されコンテンツ録画装置１に記憶されている番組情報８１０の一部又は全部（この例では、番組ＩＤ（番組名）８１０２’、放送局ＩＤ８１０３’、放送開始時刻８１０４’、放送時間８１０５’、予約数８１０６’、前回視聴率８１０７’、前回予約数８１０８’、  前回再生数８１０９’）に、コンテンツ録画装置１のメモリ部１２に蓄積している番組表（この例では、ジャンル８１１０’、出演者８１１１’、番組内容８１１２’）と、既に録画しているか否かを表す予約状況８１１３’及び予約無線端末ＩＤ８１１４’を加えたものである。（なお、予約状況８１１３’及び予約無線端末ＩＤ８１１４’は、無線端末３に送信しないようにしてもよい。）
【００３３】
無線端末３は、この番組情報８１０’から番組表を作成し、画面に表示する（Ｓ１０４）。
図７は、番組表画面の表示例を示す。この図のように、各放送局の時間ごとの番組名や内容およびその番組の予約数や前回の視聴率／予約数／再生数等が表示される。また、番組情報８１０’は、さらに予約数ランキング情報を含み、無線端末３で、予約数ランキングで予約数の多い番組を表示することも可能である。
つぎに、操作者は、番組表や予約数ランキングなどから特定番組を選択する（Ｓ１０５）。選択操作は、例えば、画面上の適宜の位置でクリックしたり、文字・数字入力したりすることで行うことができる（以下、選択や他の操作について同様）。
【００３４】
（３）番組詳細情報の参照と予約手順
特定番組が選択されたら、無線端末３は番組関連メタ情報を要求する（Ｓ１０６）。ここでは、ステップＳ１０３で取得した番組情報の識別ＩＤ８１０１が送信される。
コンテンツ録画装置１は、メタ情報配信サーバー５からステップＳ１０１で受信したメタ情報８２０の内で該当する識別ＩＤ８２０１が記録されているメタ情報８２０をひとつ又は複数抽出し、無線端末３へ送信する（Ｓ１０７）。
無線端末３は、受信したひとつ又は複数のメタ情報８２０、ステップＳ１０３で受信した番組情報８１０’から番組詳細情報画面を作成し、表示する。
【００３５】
図８に、番組詳細情報画面の表示例を示す。図示のように、放送局、放送開始・終了時間、番組の内容、関連情報やその情報のＵＲＬなどが表示される。
操作者は、無線端末３の操作部３６により、ＵＲＬなどを選択し、そのホームページを参照すること（Ｓ１０９）などを行い、ＳＮＳや番組サイト７から、詳細情報を受信して確認することができる（Ｓ１０８）。
つぎに、操作者は、特定番組を選択して予約開始のボタン（例、「予約する」）を押すと（Ｓ１１０）、無線端末３は、予約情報９１０を作成し、コンテンツ録画装置１に送信する（Ｓ１１１）。
【００３６】
図１０に、予約情報９１０のフォーマットを示す。無線端末３は、次のように予約情報９１０の各データをセットする。予約情報９１０は、識別ＩＤ９１０１、番組ＩＤ（番組名）９１０２、放送局ＩＤ９１０３、放送開始時刻９１０４、放送時間９１０５、予約状況９１０６、無線端末ＩＤ９１０７を含む。識別ＩＤ９１０１は、ステップＳ１０３で取得した番組情報の識別ＩＤ８１０１及びＩＤ８１０１’と同じものがセットされる。番組ＩＤ（番組名）９１０２、放送局ＩＤ９１０３、放送開始時刻９１０４、放送時間９１０５は、番組情報８１０’と同じデータがセットされる。予約状況Ｓ９１０６は、予約追加や予約取り消しなどの変更された状態をセットする。また、無線端末ＩＤ９１０７は、予め無線端末３に設定されたＩＤがセットされる。
コンテンツ録画装置１は、無線端末３から予約情報９１０を受信したら、該当する番組の予約処理を実行し、メモリ部１２に蓄積されている番組情報８１０’の予約状況８１１３’を更新し、メタ情報配信サーバー５に録画機器予約情報９２０を送信する（Ｓ１１４）。
【００３７】
図１１に、録画機器予約情報９２０のフォーマットを示す。コンテンツ録画装置１は、録画機器予約情報９２０の各データを、コンテンツ録画装置に保存されている番組情報８１０’の一部又は全部、又は、図１０に示した予約情報９１０に、録画装置ＩＤ９２０７を追加して作成する。
【００３８】
（４）コメントの入力手順
図９は、コメント入力ページの一例を示す図である。
無線端末３は入力が完了すると、図９のようにコメント入力ページが表示される。操作者がコメントを入力したい時は、この画面でコメントを入力する（Ｓ１１２）。操作者は、送信したいＳＮＳなどを選択して入力したコメントを送信することが可能である（Ｓ１１３）。
【００３９】
（５）予約推奨番組情報の取得手順
メタ情報配信サーバー５は、ステップＳ１１４で録画機器予約情報９２０を受信すると、同一番組を予約している人が予約している別の番組で、そのコンテンツ録画装置１ではまだ録画されていない推奨番組を検索する。推奨番組を決める方法としては、例えば、協調フィルタリングなどを用いることができる。
【００４０】
図１２は、推奨番組の決定についての説明図である。推奨番組を決める方法としては、この図のように、複数のユーザーが共通に選択している番組を選ぶ方法もある。即ち、ユーザーＡとユーザーＢは番組０００１と番組０００３を選択しているので、ユーザーＣが番組０００１を選択した場合、番組０００３を推奨番組として決定する。
また、予約端末ＩＤ９２０７ごとに同一ユーザーと見なす方法もあるが、この場合は、家族の複数人がコンテンツ録画装置１の予約をするケースもあるので、個人の嗜好はあまり反映されない場合が考えられる。無線端末３は個人所有のケースが多いので、予約した無線端末ＩＤ８１１２’でフィルタをかけることにより、より個人の嗜好に反映されるようになる。また、無線端末３に性・年齢等の属性を付加することにより、更に細かい推奨も可能である。
メタ情報配信サーバー５は、推奨番組が決定したら、その予約推奨番組情報１０１０を作成し、コンテンツ録画装置１に送信する（Ｓ１１５）。
【００４１】
図１３に、予約推奨番組情報１０１０のフォーマットを示す。図１３（Ａ）のように、予約推奨番組情報１０１０は、識別ＩＤ１０１０１、番組ＩＤ（番組名）１０１０２、放送局ＩＤ１０１０３、放送開始時刻１０１０４、推奨度１０１０５を含む。メタ情報配信サーバー５は、次のように、予約推奨番組情報１０１０の各データをセットする。識別ＩＤ１０１０１、番組ＩＤ（番組名）１０１０２、放送局ＩＤ１０１０３、放送開始時刻１０１０４は、例えば、決定した推奨番組の識別ＩＤ又は番組ＩＤ（番組名）に従い番組情報８１０を参照してセットする。推奨度１０１０５とは、例えば、図１２に示すような方式や上述の他の方式での推奨番組を選択している人の数など、推奨度合いを示すパラメータをセットする。なお、図１３（Ｂ）のように、ひとつ又は複数の予約推奨番組情報１０１０を情報１０としてまとめて送信することができる。
コンテンツ録画装置１は、予約推奨番組情報１０１０（１０）を受信したら、その情報を無線端末５に送信する（Ｓ１１６）。無線端末５は予約推奨番組情報１０１０（１０）から、推奨番組を作成し、一覧表示する。
【００４２】
図１４は、推奨番組の一覧表示の一例を示す図である。
操作者は、予約を止める又は続けて予約をすることが出来る（Ｓ１１７）。操作者は、この画面からいずれかの番組を選択する（Ｓ１１７）と、ステップＳ１０５に進み、ステップＳ１０６、Ｓ１０７を経て、番組関連メタ情報を取得し、先程と同様にその番組の詳細情報が表示される（Ｓ１０８）。
【産業上の利用可能性】
【００４３】
本発明は、テレビ、パソコン、ラジオ、携帯機器等を利用した様々なコンテンツの録画支援に適用することができる。
本発明のコンテンツ録画支援方法、コンテンツ録画支援システム又はコンテンツ録画装置は、その各手順をコンピュータに実行させるためのコンテンツ録画支援プログラム、コンテンツ録画支援プログラムを記録したコンピュータ読み取り可能な記録媒体、コンテンツ録画支援プログラムを含みコンピュータの内部メモリにロード可能なプログラム製品、そのプログラムを含むサーバ等のコンピュータ、等により提供されることができる。
【符号の説明】
【００４４】
１  コンテンツ録画装置
２  表示装置
３  無線端末
４  コンテンツ配信サーバー
５  メタ情報配信サーバー
６  ネットワーク
７  ＳＮＳや番組サイト
１１  コントローラー
１２  メモリ部
１３  ネットワーク通信部
１４  表示制御部
１５  無線通信部
１６  操作部
３１  コントローラー
３２  メモリ部
３３  ネットワーク通信部
３４  表示部
３５  無線通信部
３６  操作部
【図１】
0005820222.tif 000002
【図２】
0005820222.tif 000003
【図３】
0005820222.tif 000004
【図４】
0005820222.tif 000005
【図５】
0005820222.tif 000006
【図６】
0005820222.tif 000007
【図７】
0005820222.tif 000008
【図８】
0005820222.tif 000009
【図９】
0005820222.tif 000010
【図１０】
0005820222.tif 000011
【図１１】
0005820222.tif 000012
【図１２】
0005820222.tif 000013
【図１３】
0005820222.tif 000014
【図１４】
0005820222.tif 000015
【図１５】
0005820222.tif 000016